(57)【要約】  【課題】  移動局に共用器を用いないプレストーク方式のデジタル移動通信システムでは、上り無線キャリアｆ１と下り無線キャリアＦ１の２周波を利用し、しかも、１種類の音声のみの通信しかできない。従って、無線周波の利用効率が高く、小型、軽量で、しかも、多種類の情報を送信できるデジタル移動通信システムの実現が望まれている。  【解決手段】  少なくとも基地局と移動局で構成され、上記基地局と移動局を無線キャリアで情報を双方向に伝送すると共に、上記無線キャリアは、複数のスロットからなるフレーム構成の繰返しで構成され、上記複数のスロットの内、少なくとも２つのスロットのそれぞれは、上記基地局から上記移動局へ異なる情報を伝送するように設定される。【選択図】  図１
2006237777.tif 000002
【特許請求の範囲】
【請求項１】
少なくとも基地局と移動局で構成され、上記基地局と移動局を無線キャリアで情報を双方向に伝送すると共に、上記無線キャリアは、複数のスロットからなるフレーム構成の繰返しで構成され、上記複数のスロットの内、少なくとも２つのスロットのそれぞれは、上記基地局から上記移動局へ異なる情報を伝送するように設定されていることを特徴とするデジタル移動通信システム。
【請求項２】
請求項１記載のデジタル移動通信システムにおいて、上記複数のスロットは、第１と第２の音声通信チャネルスロット、制御チャネルスロットおよびデータ通信チャネルスロットの４個のスロットで構成されていることを特徴とするデジタル移動通信システム。
【請求項３】
請求項２記載のデジタル移動通信システムにおいて、上記４個のスロットは、上記第１の音声通信チャネルスロット、上記データ通信チャネルスロット、上記第２の音声通信チャネルスロットおよび上記制御チャネルスロットの順序に設定されていることを特徴とするデジタル移動通信システム。
【請求項４】
請求項２記載のデジタル移動通信システムにおいて、上記基地局は、スロット割当部および記憶部を有し、上記記憶部は、上記４個のスロットが上記第１の音声通信チャネルスロット、上記データ通信チャネルスロット、上記第２の音声通信チャネルスロットおよび上記制御チャネルスロットの順序であることを記憶し、上記スロット割当部は、上記記憶部に記憶されたスロットの順序に基いて上記４個のスロットを上記第１の音声通信チャネルスロット、上記データ通信チャネルスロット、上記第２の音声通信チャネルスロットおよび上記制御チャネルスロットの順序に割当てることを特徴とするデジタル移動通信システム。
【請求項５】
請求項２記載のデジタル移動通信システムにおいて、上記基地局は、上記制御チャネルスロットを用いて上記移動局の送受信タイミングおよび上記移動局からの送信チャネルを上記基地局の送受信タイミングに合致させるための制御信号を送信することを特徴とするデジタル移動通信システム。
【発明の詳細な説明】
【技術分野】
【０００１】
本発明は、デジタル移動通信システムに関し、特に、緊急通話等に用いるデジタル移動通信システムに関するものである。
【背景技術】
【０００２】
現在、実用化されているデジタル無線通信システム、例えば、時分割多重デジタル無線通信方式（例えば、特許文献１参照）は、図７に示すように、基地局７０１と基地局７０１の通信エリア７０３（あるいは通信ゾーンとも言われる。）内にある複数の移動局７０２−１、７０２−２、・・・（移動局を総称する場合は、移動局７０２と称する。）との通信接続サービス、あるいは移動局７０２−１と移動局７０２−２とが基地局７０１を介して通信を行う移動局間通信接続サービスが行なわれるように構成されたシステムである。なお、基地局７０１は、複数台設置されるのが普通であり、これら複数の基地局は、マイクロ波多重回線あるいはデジタル専用回線で統括局（図示せず。）と接続され、統括局がそれぞれの基地局を管理するようなシステム構成が普通である。しかしながら、本例では、説明を簡単にするために１台の基地局７０１と移動局７０２−１、７０２−２のみが示されている。また、基地局７０１には、回線制御装置が設置され、移動局７０２からの発呼(call)制御あるいは通信ルートの設定を行なう制御等が行なわれる。
【０００３】
而して、日本におけるデジタル無線システム、例えば、市町村デジタル移動通信システムにおける規格は、ARIB（Association of Radio Industries and Businesses）Standard (発行元  社団法人  電波産業会)（以下、ARIB STD と略称する）に定められている。そして、このシステムで使用が許可されている無線キャリア（carrier）周波数割当てを図９に示す。図９において、上り方向、即ち、移動局→基地局の方向では、２６２ＭＨｚを基準にして、１波の周波数帯域が２５ＫＨｚ巾で、１１２波（ｆ１、ｆ２、・・・）が認められている。また、下り方向、即ち、基地局→移動局の方向では、上り方向の２６２ＭＨｚから９ＭＨｚ離れた２７１ＭＨｚを基準にして、１波の周波数帯域が２５ＫＨｚ巾で、１１２波（Ｆ１、Ｆ２、・・・）が認められている。従って、デジタル無線通信システムの通信においては、上り方向ｆ１、ｆ２、・・・、下り方向Ｆ１、Ｆ２、・・・の各周波数が使用される。そして、各システムは、その規模に応じて１又は複数の無線キャリアを制御用キャリアとし、残りを通信用キャリアとして使用することができる。
【０００４】
更に、各無線キャリアは、図１０に示すようにフレーム（フレーム長：４０ｍｓ）に分割され、さらにフレームは、４つのスロット（１スロット長：１０ｍｓ）に分けられている。この４つのスロットをチャネル１（ＣＨ１）、・・チャネル４（ＣＨ４）と呼ぶことにする。このチャネルには、例えば、制御用チャネルＣと通信用チャネルＳが割り当てられる。ここで、１フレームは、例えば、４０ｍｓである。制御用チャネルＣは、無線回線の接続制御を行うチャネルであり、通信用チャネルＳは、通話やデータ通信を行うチャネルである。また、１つ以上の制御用チャネルを含むキャリアを制御用キャリアといい、通信用チャネルのみによって構成されるキャリアを通信キャリアという。
【０００５】
上述したような通信用無線キャリアを用いて、例えば、プレストーク方式で基地局と移動局が通信を行なう場合について図８を用いて説明する。図８は、基地局７０１と移動局７０２とが通信を行なう場合の動作を説明するための図である。図８において、図８（Ａ）は、基地局７０１から移動局７０２−１に下り方向の無線キャリアＦ１を用いて通信している場合のフレームとチャネル構成を示している。図８（Ｂ）は、移動局７０２−１から基地局７０１に上り方向の無線キャリアｆ１を用いて通信している場合のフレームとチャネル構成を示している。また、図８（Ｃ）は、移動局の送受信タイミングを示し、ＲＸは、受信期間を、ＴＸは、送信期間を、そして、Ｉは、アイドル期間を示している。このような通信方式、即ち、上りと下りに２周波数ｆ１とＦ１を用いるが、移動局側に共用器を使用しない、所謂、プレストーク方式のデジタル移動通信システムであり、半複信方式の通信システムとも呼ばれている。なお、図８は、通話路の確立、使用チャネルの割当て等の制御動作が完了し、基地局７０１と移動局７０２との通話路が確立されている場合を示している。
【０００６】
まず、図８（Ａ）において、基地局７０１から移動局７０２−１へ通話をする場合、下り無線キャリアＦ１を用いるが、その場合の使用チャネル番号がＣＨ１（網掛けで示すＣＨ１）であると、基地局７０１は、下り無線キャリアＦ１のチャネルＣＨ１を用いて移動局７０２−１に信号を送信することになる。この場合、移動局７０２−１は、図８（Ｃ）に示すように受信タイミングＲＸ（スロットＲＸで示す。）で基地局７０１のチャネルＣＨ１の通信を受信する。
【０００７】
一方、移動局７０２−１から基地局７０１への通信の場合、基地局７０１のフレームタイミングと移動局７０２−１のフレームタイミングとの間の送受信オフセットは、上述のARIB STDで、２０ｍｓと定められている。従って、移動局７０２−１の送信は、移動局７０２−１の送信タイミングＴＸ（スロットＴＸで示す。）の時点で、上り無線キャリアｆ１のチャネルＣＨ１を使用して通信することになる。
【０００８】
以上説明したように、移動局７０２に共用器を用いないプレストーク方式のデジタル移動通信システムでは、上り無線キャリアｆ１と下り無線キャリアＦ１の２周波を利用し、しかも、１種類の、例えば、音声のみの通信しかできない。また、共用器を使用する無線機は、上り無線キャリアｆ１と下り無線キャリアＦ１の２周波を利用すると、基地局と移動局との間で、同時に送受信が可能であるが、共用器は、大型で、重量も重く、また、コストが高くなるので、移動局としては不向きである。特に、携帯の移動無線機としては、なおさら不向きである。従って、無線周波の利用効率が高く、小型、軽量で、しかも、多種類の情報、例えば、音声通信情報、制御チャネル情報およびデータ伝送情報のような多数の情報を送信できるデジタル移動通信システムの実現が望まれている。
【０００９】
【特許文献１】特開２００１−３０９４３７号公報
【発明の開示】
【発明が解決しようとする課題】
【００１０】
移動局に共用器を用いないプレストーク方式のデジタル移動通信システムでは、上り無線キャリアｆ１と下り無線キャリアＦ１の２周波を利用し、しかも、１種類の、例えば、音声のみの通信しかできない。従って、無線周波の利用効率が高く、小型、軽量で、しかも、多種類の情報を送信できるデジタル移動通信システムの実現が望まれている。
【００１１】
本発明の目的は、無線周波の利用効率が高いデジタル移動通信システムを提供することである。
【００１２】
本発明の他の目的は、１周波で複数種類の情報を伝送できるデジタル移動通信システムを提供することである。
【００１３】
本発明の他の目的は、小型、軽量の無線機で、無線周波の利用効率が高いデジタル移動通信システムを提供することである。
【００１４】
本発明の更に他の目的は、１周波で複数種類の情報を同時に送受信できるデジタル移動通信システムを提供することである。
【課題を解決するための手段】
【００１５】
本発明のデジタル移動通信システムは、少なくとも基地局と移動局で構成され、上記基地局と移動局を無線キャリアで情報を双方向に伝送すると共に、上記無線キャリアは、複数のスロットからなるフレーム構成の繰返しで構成され、上記複数のスロットの内、少なくとも２つのスロットのそれぞれは、上記基地局から上記移動局へ異なる情報を伝送するように設定される。
【００１６】
また、本発明のデジタル移動通信システムにおいて、上記無線キャリアは、１無線キャリアからなり、上記移動局は、送信と受信が切替えられる無線機から構成される。
【００１７】
また、本発明のデジタル移動通信システムにおいて、上記複数のスロットは、第１と第２の音声通信チャネルスロット、制御チャネルスロットおよびデータ通信チャネルスロットの４個のスロットで構成される。
【００１８】
また、本発明のデジタル移動通信システムにおいて、上記４個のスロットは、上記第１の音声通信チャネルスロット、上記データ通信チャネルスロット、上記第２の音声通信チャネルスロットおよび上記制御チャネルスロットの順序に設定されている。
【００１９】
また、本発明のデジタル移動通信システムにおいて、上記基地局は、スロット割当部および記憶部を有し、上記記憶部は、上記４個のスロットが上記第１の音声通信チャネルスロット、上記データ通信チャネルスロット、上記第２の音声通信チャネルスロットおよび上記制御チャネルスロットの順序であることを記憶し、上記スロット割当部は、上記記憶部に記憶されたスロットの順序に基いて上記４個のスロットを上記第１の音声通信チャネルスロット、上記データ通信チャネルスロット、上記第２の音声通信チャネルスロットおよび上記制御チャネルスロットの順序に割当てるように構成される。
【００２０】
また、本発明のデジタル移動通信システムにおいて、上記基地局は、上記制御チャネルスロットを用いて上記移動局の送受信タイミングおよび上記移動局からの送信チャネルを上記基地局の送受信タイミングに合致させるための制御信号を送信するように構成される。
【００２１】
また、本発明のデジタル移動通信システムにおいて、上記移動局は、該移動局の送受信タイミングおよび該移動局からの送信チャネルを変更する手段を有し、上記基地局から送られてくる上記基地局の送受信タイミングに合致させるための制御信号に基いて、上記移動局の送受信タイミングおよび上記移動局からの送信チャネルを変更することを特徴とするデジタル移動通信システム。
【発明の効果】
【００２２】
以上説明したように本発明によれば、１周波で複数種類の情報を伝送できるので、無線周波の利用効率が高い。また、共用器を使用する必要がないので小型、軽量の無線機が実現でき、特に、携帯用無線機を用いることができるデジタル移動通信システムを実現できる。更に、１周波で複数種類の情報を同時に送受信できるデジタル移動通信システムを実現できる等の利点がある。
【発明を実施するための最良の形態】
【００２３】
以下本発明について図面を用いて詳細に説明する。図２は、本発明で使用する基地局無線機の概略構成を示すブロック図である。図２において、２０１は、基地局無線機であり、この基地局無線機は、送受信機能を有するものとする。２０２は、基地局であり、図７に示す基地局７０１に対応する。なお、基地局２０２は、基地局無線機２０１と一体に構成される場合と、図２のように別体で構成される場合がある。基地局２０２は、中央処理装置２０３、表示部２０４および操作部２０５で構成されている。また、中央処理装置２０３は、スロット割当部２０６および記憶部２０７を有し、このスロット割当部２０６は、後述する本発明の特徴あるスロット割当を行う機能を有する。なお、中央処理装置２０３は、一般的にパーソナルコンピュータ（ＣＰＵとも言う。）で構成され、基地局７０１と移動局７０２との通信接続サービス等、デジタル移動通信システムのシステム全体を制御する働きをする。
【００２４】
図３は、本発明で使用する移動局無線機３００（移動局７０２に対応する。）の概略構成を示すブロック図であり、図７に示す移動局７０１に対応する。図３において、まず、移動局無線機３００を受信状態にする場合には、プレストークスイッチ（図示せず。）を受信に切替える。これにより基地局２０２からの受信信号は、アンテナ３０１、切替部３０２（受信に切替えるスイッチで構成）、受信部３０３とを経由して、復調部３０４に与えられ、復調される。スロット割当部３０５は、復調信号に基づいて、基地局２０２から送信されるチャネル（スロットとも言う。）に従った出力を制御部３０６に引き渡す。制御部３０６は、プレストークスイッチを受信に切替えることにより、無線機３００を受信機として動作させる。また、制御部３０６は、キー入力部３１１からの指示やメモリ３０７の制御プログラムに従って移動局無線機３００全体の制御を行う。更に、制御部３０６は、復調部３０４で復調された出力については、必要なデータ等の情報を表示部３０８に表示したり、復調された音声信号を音声出力部３０９、例えば、スピーカから音声として出力する。
【００２５】
次に、移動局無線機３００を送信機として動作させる場合には、プレストークスイッチを送信に切替える。これにより制御部３０６は、無線機３００を送信機として動作させる。これにより制御部３０６は、音声入力部３１０、例えば、マイクからの音声入力情報をスロット割当部３０５に引き渡す。スロット割当部３０５では、制御部３０６から引き渡された音声情報入力が先に復調出力に基づいて決められた基地局２０２から送られてくるチャネル（スロットとも言う。）情報に従って所定のチャネルで、変調部３１２に引き渡す。変調部３１２で変調を受けた信号は、送信部３１３と、切替部３０２（送信に切替えるスイッチで構成）を介してアンテナ３０１から基地局２０２に送信される。
【００２６】
以下、図２に示す基地局２０２と図３に示す移動局無線機３００のチャネルスロット構成について、図１を用いて説明する。図１は、基地局２０２と移動局無線機３００の間で使用される無線キャリアが、例えば、Ｆ１の１無線周波（無線キャリア）で動作している場合の基地局２０２と移動局無線機３００のチャネル構成および移動局無線機送受信タイミングを示す図である。図１（Ａ）は、基地局２０２から移動局無線機３００への下り方向の無線キャリアＦ１を用いて通信している場合のフレームとチャネル構成を示している。ここで、Ａｃｈ、Ｂｃｈ、Ｃｃｈ、Ｄｃｈは、それぞれチャネルスロット（ｃｈ）を示し、図１０に示すスロットに対応する。そして、それぞれの各チャネルスロットには、チャネルスロット固有の機能が割当てられている。即ち、ＡｃｈおよびＢｃｈは、例えば、緊急用の固定通信チャネル（物理チャネル）が割当てられる。例えば、１１０番通報、１１９番通報等のような緊急の音声通信が割当てられる。Ｃｃｈは、制御チャネルスロットで、後述するようなチャネル制御情報等が送信される。Ｄｃｈは、データ通信チャネルスロットである。そして、１フレーム（４スロットで構成）を構成する各チャネルスロットは、Ａｃｈ、Ｄｃｈ、Ｂｃｈ、Ｃｃｈの順に配列されている。なお、このような固定チャネルスロットは、図２に示す基地局２０２の中央処理装置２０３で発生される。即ち、中央処理装置２０３の記憶部２０７には、図１１に示す基地局チャネルスロット（ｃｈ）のように１フレーム単位でＡｃｈ、Ｄｃｈ、Ｂｃｈ、Ｃｃｈがこの順序で記憶されている。そしてスロット割当部２０６は、中央処理装置２０３のフレーム同期信号ＦＳに同期して記憶部２０７に記憶されているＡｃｈ、Ｄｃｈ、Ｂｃｈ、Ｃｃｈの順序に各チャネルスロットを割当て、無線機２０１から移動局無線機３００に送信する。これにより基地局２０２から移動局無線機３００への無線キャリアＦ１は、図１（Ａ）に示すようなチャネルスロット構成として伝送される。
【００２７】
移動局無線機３００では、図１（Ａ）に示すようなチャネルスロット構成の信号がアンテナ３０１、受信部３０３、復調部３０４、スロット割当部３０５を介して制御部３０６に渡される。制御部３０６では、予め送受信タイミングが図１（Ａ）で示すようなＡｃｈ、Ｄｃｈ、Ｂｃｈ、Ｃｃｈの各チャネルスロット構成に対して図１（Ｃ）に示すようにＲＸ２（受信期間）、ＴＸ１（送信期間）、ＴＸ２（送信期間）、ＲＸ１（受信期間）となるように受信機を制御している。また、移動局無線機３００からの送信信号について、制御部３０６は、基地局２０２から受信した基地局チャネルスロット構成に従ったタイミングと順序によりスロット割当部３０５を制御し、図１（Ｂ）に示すように移動局無線機３００から基地局２０２に送信するチャネルスロット構成を１フレーム周期毎にＢｃｈ、Ｃｃｈ、Ａｃｈ、Ｄｃｈのチャネル構成となるようにチャネルスロットを割当てる。即ち、ARIB STDで定められている送受信オフセットが２０ｍｓであるため、図１（Ｂ）に示すチャネルスロット構成は、図１（Ａ）に示すチャネルスロット構成から送受信オフセットの２０ｍｓずれたチャネルスロット構成となっている。
【００２８】
次に、図１に示すチャネルスロット構成での基地局２０２と移動局無線機３００との通信動作について説明する。まず、緊急事態が発生した場合、基地局２０２は、電話等によりＡｃｈのタイミングで、緊急通報、例えば、１１９番の音声を受信すると、この内容を下り無線キャリアＦ１で、図１（Ａ）のＡｃｈのタイミングで、図１（Ｃ）に示す移動局無線機３００に送信する。この時、移動局無線機３００は、受信期間ＲＸ２であるため、基地局２０２からの１１９番の音声信号が受信できる。
【００２９】
一方、基地局２０２は、Ａｃｈとは別に、下り無線キャリアＦ１で、図１（Ａ）の制御チャネルスロットＣｃｈを用いて移動局３００のチャネル構成および移動局の送受信タイミングの変更のための制御情報ＣＩを移動局無線機３００に送る。制御局２０２から送られた制御情報ＣＩは、移動局無線機３００の制御部３０６に供給され、例えば、制御情報ＣＩが表示部３０８に表示される。この表示内容は、例えば、図４（Ｃ）に示すように移動局無線機３００の送受信タイミングをＲＸ１、ＲＸ２、ＴＸ１、ＴＸ２とするように指示するような制御情報ＣＩである。この制御情報ＣＩを受けた移動局無線機３００の操作者は、キー入力部３１１を操作して制御部３０６を制御し、移動局無線機３００のフレームとチャネルスロットの構成および送受信タイミングを変更し、図４（Ａ）（Ｂ）（Ｃ）に示すような関係になるように移動局無線機３００を制御する。
【００３０】
ここで、移動局無線機３００が基地局２０２から送られた制御情報ＣＩに基いて図４（Ｂ）および（Ｃ）に示す上りチャネル構成および送受信タイミングを設定する方法の一実施例を図１２を用いて説明する。図１２（Ａ）は、移動局無線機３００のフレーム同期信号を示している。図１２（Ｂ）は、移動局無線機３００から基地局２０２に送信する信号の１フレーム当りのチャネル構成を示し、この構成がメモリ３０７に記憶されている。また、図１２（Ｃ）は、移動局無線機３００の１フレーム当りの送受信タイミングを示し、この構成もメモリ３０７に記憶されている。なお、ここに示す図１２（Ｂ）（Ｃ）の構成は、一例を示すもので、例えば、後で説明する図５および図６に示すチャネル構成および送受信タイミングも同様に記憶している。そして、例えば、移動局無線機３００を図４（Ｂ）および（Ｃ）に示すチャネル構成および送受信タイミングに設定するためには、移動局無線機３００は、基地局２０２から送られてくる制御情報ＣＩの内容に応じてメモリ３０７から図１２（Ｂ）に示すチャネル構成および図１２（Ｃ）に示す送受信タイミングを読出し、この読み出した内容に基いてスロット割当部３０５を制御して移動局無線機３００の上りＦ１のチャネル構成を図４（Ｂ）とし、また、制御部３０６を制御して送受信タイミングを図４（Ｃ）にすることができる。なお、メモリ３０７からの読出しは、図１２（Ａ）に示すフレーム同期信号に同期して読み出されることは言うまでもない。また、このように制御情報ＣＩの内容に応じて移動局無線機３００の動作を切替えるには、操作者がキー入力部３１１を操作して表示部３０８に表示される指示に基いて操作することもできるが、制御部３０６が制御情報ＣＩを検出して自動的に切替動作することもできる。
【００３１】
その結果、基地局２０２からの緊急の音声情報は、基地局２０２のＡｃｈから移動局無線機３００の受信期間ＲＸ１で受信され、また、基地局２０２からの文字情報等のデータをメッセージ情報として基地局２０２のＤｃｈから移動局無線機３００に送信され、移動局無線機３００の受信期間ＲＸ２でこのメッセージ情報が受信される。一方、移動局無線機３００からは移動局無線機３００の送信期間ＴＸ１、ＴＸ２において、移動局無線機３００から基地局２０２へのＡｃｈ、Ｄｃｈを用いて、緊急の音声情報および文字情報等のデータを送ることができる。なお、両者は、同じチャネルであるが、送受信オフセットが２タイムスロット（４０ｍｓ）ずれているので、混信することはない。以上の動作がフレーム単位で繰返される。
【００３２】
以上説明したように基地局２０２と移動局無線機３００の間のフレームとチャネルスロット構成および移動局の送受信タイミングを図１に示すように定めると、両者の動作時のフレーム、チャネルスロット構成および移動局無線機の送受信タイミングが図４に示す関係にすることができ、１無線キャリアＦ１を使用して基地局２０２が移動局無線機３００と音声通信中でも、基地局２０２と移動局無線機３００との間で文字情報等のデータを伝送することができるようになる。従って、緊急通信のような場合には、緊急の音声通信と必要な文字情報や、各種データを１無線キャリアで送信することができるデジタル移動通信システムが実現できる。
【００３３】
図５は、本発明の他の一実施例の動作を説明するための図である。図５（Ａ）に示すように、基地局２０２の送信の１フレームのチャネルスロット構成で、チャネルスロットの並びが、Ｂｃｈ、Ｃｃｈ、Ａｃｈ、Ｄｃｈであり、また、移動局無線機の送受信タイミングが１フレーム内で、ＲＸ１、ＲＸ２、ＴＸ１、ＴＸ２であったとすると、基地局２０２からの緊急音声情報は、Ｂｃｈを用いて移動局無線機３００に送られる。この時、移動局無線機３００は、受信期間ＲＸ１であるので、移動局無線機３００は、基地局２０２からの緊急音声情報を受信できる。一方、基地局２０２は、上記実施例と同様にＣｃｈを用いて移動局無線機３００にチャネルの制御情報ＣＩを送信する。この時、移動局無線機３００は、受信期間ＲＸ２であるため、移動局無線機３００からのチャネル制御情報ＣＩが受信でき、これが制御部３０６に供給され、表示部３０８に表示される。操作者は、この表示を見て、例えば、キー入力部３１１を操作して、例えば、移動局無線機３００のチャネルスロット構成を、図５（Ｂ）に示すように移動局無線機３００の送信期間ＴＸ１およびＴＸ２に対応するチャネル構成Ｂｃｈ、Ｃｃｈとすることができる。従って、図５に示すようなフレームとチャネルシロット構成の場合には、基地局２０２と移動局無線機３００との間で、１無線キャリアＦ１を用いて、音声情報と制御情報の伝送が可能となる。
【００３４】
図６は、本発明の更に他の一実施例の動作を説明するための図である。図６（Ａ）に示すように、基地局２０２の送信の１フレームのチャネルスロット構成で、チャネルスロットの並びが、Ｂｃｈ、Ｃｃｈ、Ａｃｈ、Ｄｃｈであり、また、移動局無線機の送受信タイミングが図６（Ｄ）に示されるように１フレーム内で、ＲＸ１、ＲＸ２、ＴＸ１、ＴＸ２であったとする。この場合、基地局２０２からの緊急音声情報は、Ｂｃｈを用いて移動局無線機３００に送られる。この時、移動局無線機３００は、受信期間ＲＸ１であるので、移動局３００は、基地局２０２からの緊急音声情報を受信できる。一方、基地局２０２は、上記実施例と同様にＣｃｈを用いて移動局無線機３００にチャネルの制御情報ＣＩを送信する。この時、移動局無線機３００は、受信期間ＲＸ２であるため、移動局無線機３００からのチャネル制御情報ＣＩが受信でき、これが制御部３０６に供給され、表示部３０８に表示される。操作者は、この表示を見て、例えば、キー入力部３１１を操作して、例えば、移動局無線機３００のチャネルスロット構成を、図６（Ｂ）に示すようにＡｃｈ、Ｄｃｈ、Ｂｃｈ、Ｃｃｈとし、同時に、送受信タイミングをＲＸ２、ＴＸ１、ＴＸ２、ＲＸ１とするように指示する。これによって移動局無線機３００は、送信期間ＴＸ１、ＴＸ２に対応して、移動局無線機３００の送信チャネルスロットがＤｃｈ、Ｂｃｈとなる。従って、この場合には、基地局２０２と移動局無線機３００との間で、１無線キャリアＦ１を用いて、音声情報と文字情報等のデータの伝送が可能となる。
【００３５】
なお、本発明の実施例では、１フレームを４チャネル構成として説明したが、多数の情報を送るためには、４チャネル以上のチャネル構成とすることも可能であり、１周波で複数種類の情報を伝送できるので、無線周波の利用効率が高く、また、共用器を使用する必要がないので小型、軽量の無線機が実現でき、特に、携帯用無線機を用いることができるデジタル移動通信システムを実現できる。また、１周波で伝送することについて説明したが、本発明の考え方は、２周波を用いる無線機に適応した場合、更に、多くの情報を送信できることは言うまでもない。
【００３６】
以上、本発明について詳細に説明したが、本発明は、ここに記載されたデジタル移動通信システムの実施例に限定されるものではなく、上記以外のデジタル移動通信システムに広く適応することが出来ることは、言うまでも無い。
【図面の簡単な説明】
【００３７】
【図１】本発明の一実施例の動作を説明するための図である。
【図２】本発明で使用される基地局の概略構成のブロック図を示す。
【図３】本発明で使用される移動局の概略構成のブロック図を示す。
【図４】本発明の一実施例の動作を説明するための図である。
【図５】本発明の他の一実施例の動作を説明するための図である。
【図６】本発明の更に他の一実施例の動作を説明するための図である。
【図７】従来のデジタル移動通信システムの概略構成を説明するための図である。
【図８】従来のデジタル移動通信システムの動作を説明するための図である。
【図９】本発明で使用される周波数帯域を説明するための図である。
【図１０】本発明で使用されるフレーム構成を説明するための図である。
【図１１】本発明の固定チャネル構造を説明するための図である。
【図１２】本発明の移動局無線機のチャネル設定を説明するための図である。
【符号の説明】
【００３８】
２０１：無線機、２０２、７０１：基地局、２０３：中央処理装置、２０４、３０８：表示部、２０５：操作部、２０６、３０５：スロット割当部、２０７：記憶部、３００、７０２：移動局、３０１：アンテナ、３０２：切替部、３０３：受信部、３０４：復調部、３０６：制御部、３０７：メモリ、３０９：音声出力部、３１０：音声入力部、３１１：キー入力部、３１２：変調部、３１３：送信部、７０３：通信エリア。
【図１】
2006237777.tif 000003
【図２】
2006237777.tif 000004
【図３】
2006237777.tif 000005
【図４】
2006237777.tif 000006
【図５】
2006237777.tif 000007
【図６】
2006237777.tif 000008
【図７】
2006237777.tif 000009
【図８】
2006237777.tif 000010
【図９】
2006237777.tif 000011
【図１０】
2006237777.tif 000012
【図１１】
2006237777.tif 000013
【図１２】
2006237777.tif 000014